(57)【特許請求の範囲】
【請求項１】
自毛に増毛用毛髪を結びつけることにより増毛する増毛方法において、
一端に可撓性を有するループ部を備えた内側棒に所定間隔に増毛用毛髪を巻回結び付ける工程と、
少なくとも前記内側棒のループ部が外筒の一端から突出するように、該増毛用毛髪付き内側棒を外筒の中に入れる工程と、
前記ループ部内に自毛を挿入した後、前記内側棒に巻回結び付けた一単位の増毛用毛髪を該ループ部を通過して抜き取る工程と、
自毛が結び目内を通るように遊嵌された増毛用毛髪の両端を互いに反対方向に引っ張ることにより、結び目を緊締して自毛に結び付ける工程と、
を含んで構成されてなる増毛方法。
【請求項２】
内側棒に巻回結び付ける増毛用毛髪が、３本を一単位としてほぼ等間隔に該内側棒に巻回結び付けられていることを特徴とする請求項１に記載の増毛方法。
【請求項３】
一端に可撓性を有するループ部を備えた内側棒であって、所定間隔に増毛用毛髪が巻回結び付けられた内側棒と、そして、
少なくとも前記内側棒のループ部が一端から突出するようにして、該増毛用毛髪付き内側棒を収容する外筒と、
を備えて構成されてなる増毛用具。
【請求項４】
前記内側棒が、プラスチック製の円筒体とその内部にル−プ部を有するモノフィラメント糸の両端部が固定される構成からなる請求項３に記載の増毛用具。
【請求項５】
内側棒に巻回結び付ける増毛用毛髪が、３本を一単位としてほぼ等間隔に該内側棒に巻回結び付けられていることを特徴とする請求項３又は４に記載の増毛用具。
【発明の詳細な説明】
【０００１】
【発明の属する技術分野】
本発明は、多数の自毛に順次増毛用毛髪を緊締して結び付ける増毛方法及びそれに用いる増毛用具に関する。
【０００２】
【従来の技術】
図５は、従来のこの種の増毛方法用いられる増毛用具の斜視図、図６（ａ）〜（ｄ）は、それぞれ、図５の増毛用具を製造する各ステップにおける概略図、そして、図７（ａ）〜（ｇ）は、それぞれ、図５の増毛用具を用いて実施する従来の増毛方法の各ステップにおける概略図である。
【０００３】
初に、図５を用いて、従来の増毛用具について簡単に説明すると、増毛用具４０は、概略的に、１本のモノフィラメント糸４２と、２つ折りにされたモノフィラメント糸４２に交互に遊嵌配置された多数のビーズ４４と増毛用毛髪４６とから構成されている。
【０００４】
このような増毛用具４０を製造するには、先ず、図６（ａ）のように、モノフィラメント糸４２を２つ折りにして一方の端にループ４２ａを形成し他方の端にモノフィラメント糸４２の両端４２ｂが揃うようにする。一方、プラスチック製の円筒４８に、増毛用毛髪４６の一単位を巻回結び付ける。
【０００５】
次に、図６（ｂ）のように、円筒４８の中空部にモノフィラメント糸４２の両端４２ｂを挿入し、ループ４２ａに近接する位置まで円筒４８を移動する。しかる後、図６（ｃ）のように、円筒４８から増毛用毛髪４６をループ４２ａ側に抜き取り、増毛用毛髪４６の両端を軽く引っ張ってモノフィラメント糸４２に増毛用毛髪４６を比較的緩く巻回結び付ける。次に、図６（ｄ）のように、モノフィラメント糸４２の両端４２ｂをビーズ４４の中空孔４４ａに挿入し、巻回結び付けられた増毛用毛髪４６と接触する二点鎖線の位置までビーズ４４を移動する。図６（ａ）〜（ｄ）の動作は、所望の増毛用毛髪単位の数だけ繰り返す。最後に、図５に最も良く図示されているように、モノフィラメント糸４２の両端４２ｂに粘着テープ４７を張り付けて増毛用毛髪４６及びビーズ４４の抜け止めを施す。
【０００６】
かかる増毛用具４０を用いて、多数の自毛に順次増毛用毛髪を緊締して結び付ける従来の増毛方法について図７を参照して説明する。
【０００７】
図７（ａ）のように、増毛用具４０の一端に形成されたモノフィラメント糸４２のループ４２ａに自毛５０を１本通した後、ビーズ４４をループ４２ａ側へ移動しループ４２ａを越えてビーズ４４をモノフィラメント糸４２から抜き取る。ビーズ４４の移動により、そのループ４２ａ側にあった増毛用毛髪４６はビーズ４４に押されてビーズ４４と同様にモノフィラメント糸４２のループ４２ａ側から抜き取られる。糸通しの原理により、モノフィラメント糸４２のループ４２ａを自毛５０から抜き取ると、図７（ｃ）のように、自毛５０は増毛用毛髪４６の結び目４６ａ内に挿入せしめられる。最後に、図７（ｄ）のように、増毛用毛髪４６の両端を反対方向に引っ張ると、図７（ｅ）のように、増毛用毛髪４６は自毛５０に緊締して結び付けられる。これを、増毛用毛髪４６の単位数だけ繰り返し増毛を行う。なお、４９は、頭表面である。
【０００８】
【発明が解決しようとする課題】
上述した従来の増毛用具４０及びそれを用いた従来の増毛方法では、ビーズ４４を抜き取る毎にループ４２ａが次第に大きくなり、所望の１本の自毛５０だけをループ４２ａに挿入しずらくなると共に、所望の自毛にループを挿入して増毛用毛髪を自毛に移動させるまでル−プ４２ａ付近をしっかりと指で挟んで持っているのも大変になる欠点を有していた。
【０００９】
また、増毛作業中、増毛用具４０から多数の増毛用毛髪４６が簾状に垂れ下がり作業者の集中力を殺ぐと共に、自毛５０と絡み合って取れなくなる欠点を有していた。
【００１０】
さらに、ビーズ４４はモノフィラメント糸４２から抜き取った後は専用のトレイ内に落として回収するが、幾つが床に落ちて散乱すると共に歩行時に散乱したビーズ上に載って滑って危険であるという欠点を有していた。
【００１１】
本発明は、上述した従来技術の欠点を解決し、増毛用毛髪を何単位でも結び付けた後においても自毛を挿入するループ部の大きさを常に一定として、また、多数の増毛用毛髪がループ部の周辺に垂れ下がることのないようにして効率良く増毛用毛髪を自毛に緊締して結び付けることができる増毛方法及びそれに用いる増毛用具を提供することを目的とする。
【００１２】
【課題を解決するための手段】
請求項１に記載の発明は、自毛に増毛用毛髪を結びつけることにより増毛する増毛方法において、一端に可撓性を有するループ部を備えた内側棒に所定間隔に増毛用毛髪を巻回結び付ける工程と、少なくとも内側棒のループ部が外筒の一端から突出するように、該増毛用毛髪付き内側棒を外筒の中に入れる工程と、ループ部内に自毛を挿入した後、内側棒に巻回結び付けた一単位の増毛用毛髪を該ループ部を通過して抜き取る工程と、そして、自毛が結び目内を通るように遊嵌された増毛用毛髪の両端を互いに反対方向に引っ張ることにより、結び目を緊締して自毛に結び付ける工程とを含んで構成されてなる増毛方法を提供する。
【００１３】
請求項２に記載の発明は、内側棒に巻回結び付ける増毛用毛髪が、３本を一単位としてほぼ等間隔に該内側棒に巻回結び付けられていることを特徴とする。
【００１４】
請求項３に記載の発明は、一端に可撓性を有するループ部を備えた内側棒であって、所定間隔に増毛用毛髪が巻回結び付けられた内側棒と、そして、少なくとも内側棒のループ部が一端から突出するようにして、該増毛用毛髪付き内側棒を収容する外筒とを備えて構成されてなる増毛用具を提供する。
【００１５】
請求項４に記載の発明は、請求項３に記載の増毛用具において、内側棒が、プラスチック製の円筒体とその内部に両端が固定され中間部が円筒体の一端からループ状に突出したモノフィラメント糸とから構成されてなることを特徴とする。
【００１６】
請求項５に記載の発明は、請求項３又は４に記載の増毛用具において、内側棒に巻回結び付ける増毛用毛髪が、３本を一単位としてほぼ等間隔に該内側棒に巻回結び付けられていることを特徴とする。
【００１７】
【発明の実施の形態】
以下、図面を用いて本発明に係る増毛方法及びそれに用いる増毛用具について詳細に説明する。
【００１８】
図１は、本発明に係る増毛用具１０の一実施例の分解斜視図である。
【００１９】
増毛用具１０は、概略的に、プラスチック製の内側棒１２と、内側棒１２の外周面上に所定間隔に巻回結び付けられた増毛用毛髪１３と、両端部１４ｂを内側棒１２に固定され中間のループ部１４ａが内側棒１２の一端からループ状に突出したモノフィラメント糸１４と、そして、少くともモノフィラメント糸１４のループ部１４ａが一端から突出するようにして増毛用毛髪１３付き内側棒１２を収容する外筒１６とを備えている。図１において内側棒１２は円筒体を示したが、本発明は円筒体に限定されるものではなく、棒状の端部にル−プ部を有するフィラメントの両端部が固定されるものであれば良く、また、内側棒１２の表面形態も、図１のように平面的なものに限定されるものではなく、巻回結び付けられた増毛用毛髪が動いて増毛用毛髪単位同士が絡み合うことを防ぐために、微細な凹凸部を形成した形態でも良い。
【００２０】
増毛用毛髪１３は、３本を一単位としたもので、水に溶かした糊を均一に薄く塗布した後、１〜３分間放置して乾燥させる。増毛用毛髪１３としては、人毛若しくは人工毛髪を使用することができるが、その破断荷重は１００〜２５０ｇ，好ましくは、２００〜２５０ｇのものが良く、また、その糸径は６０〜８０μｍのものが好ましい。
【００２１】
図４を参照して、増毛用毛髪１３の一単位（以下、「増毛用毛髪１３」と略称する）を内側棒１２の外周面上に巻回結び付ける方法について説明する。
【００２２】
先ず、図４（ａ）のように、増毛用毛髪１３を２つ折りにして手で保持し、それによって形成されるＵ字形部１３ｃに内側棒１２を挿入する。次に、図４（ｂ）のように、内側棒１２の一端２ｂを増毛用毛髪１３の片方の半分１３ｂに引っ掛けるようにして矢印Ａの方向に回転し、図４（ｃ）のように、水平八の字形状とする。次に、内側棒１２を矢印Ｂに示すように時計方向に回転し、図４（ｄ）のように、輪１３ｄを形成する。そして、図４（ｅ）のように、内側棒１２の一端２ｂ側を増毛用毛髪１３の両半分１３ａ，１３ｂが交差している箇所から下方へ矢印Ｃで示したように回転した後、さらに、図４（ｆ）のように、内側棒１２の一端２ｂを矢印Ｄで示すように反時計方向にねじる。図４（ｇ）のように、これにより、形成されたＵ字形部分１３ｅに内側棒１２の一端２ｂを矢印Ｅで示すように潜らせる。次に、図４（ｈ）のように、隙間１３ｆから増毛用毛髪１３の半分１３ｂを引き出し、最後に、図４（ｉ）のように、増毛用毛髪１３の両端１３ａ，１３ｂをやや弱めに引っ張り、結び目を緩く形成する。この結び目は、増毛用毛髪１３が四重巻きに内側棒１２に巻き付いており緩み難い構成となっている。
【００２３】
これを内側棒１２上で所定間隔毎に行って、複数の増毛用毛髪１３を内側棒１２に巻回結び付けて増毛用具１０を完成する。
【００２４】
増毛用毛髪１３の内側棒１２への巻回結び付けは、上述の方法に限定されるものではなく、要するに巻回結び付けた増毛用毛髪１３を内側棒１２の外周面上でモノフィラメント糸１４のループ部１４ａ側に滑らせることができると共に、自毛２０に緊締した時には、緩み難い結び方であればどのようなものであっても良い。
【００２５】
このようにして複数の増毛用毛髪１３を所定間隔で巻回結び付けた内側棒１２は、図１に一点鎖線で示したように、ループ部１４ａが形成されている側から外筒１６内に挿入される。その結果、増毛用毛髪１３は、外筒１６と内側棒１２との間に収納され、増毛用具１０からだらしなく垂れ下がるようなことはなくなり、作業者は、増毛用毛髪１３に邪魔されることなく集中して増毛作業を行うことができる効果を有する。
【００２６】
図３を用いて増毛用具１０を用いての本発明の増毛方法について説明する。
【００２７】
図３（ａ）のように、ループ部１２ａの中に自毛２０を１本挿入すると共に、内側棒１２を矢印Ｖのように外筒１６から僅かに引き出す。そして、内側棒１２の外周面上に巻回結び付けられた一単位の増毛用毛髪１３を指で掴み、あるいは鍵針で引っ掛けて右側に滑らせて内側棒１２から外し、図３（ｂ）のように、増毛用毛髪１３の結び目の輪１３ｊがループ部１２ａの周囲に位置するようにする。次に、増毛用毛髪１３の結び目の輪１３ｊを指で挟み、内側棒１２及び外筒１６を同時に矢印Ｗのように左側に移動させて図３（ｃ）のように、自毛２０を２つ折りにしながら増毛用毛髪１３の結び目の輪１３ｊの中に引き込む。この時、増毛用毛髪１３の自由端側は、外筒１６と内側棒１２との間から引き出される。図３（ｄ）のように、内側棒１２及び外筒１６をさらに矢印Ｘのように左側に移動させると、一単位の増毛用毛髪１３は、増毛用具１０から分離され、その結び目の輪１３ｊ内に自毛２０が遊嵌した状態となる。次に、結び目の輪１３ｊを、矢印Ｙのように自毛２０の根元に押し下げて頭皮表面２２と接触させ、図３（ｅ）のように、増毛用毛髪１３の両端１３ａ，１３ｂを矢印Ｚのように互いに反対方向に引っ張ることにより、結び目を緊締して自毛２０に結び付ける。これにより、図３（ｆ）のように、１本の自毛２０に複数本の増毛用毛髪１３が密集して生えた状態となり、増毛の１サイクルを終了する。そして、図３（ｇ）のように、次に増毛すべき自毛２０にループ部１２ａを挿入すると共に、内側棒１２を外筒１６から距離Ｌだけ僅かに引き出して、次の一単位の増毛用毛髪１３が現れるようにして、前記サイクルを繰り返す。
【００２８】
このように各サイクルにおいて、ループ部１２ａの大きさは変わらないため、確実に所望の自毛２０だけをループ部１２ａに挿入して増毛することができ、作業能率が飛躍的に向上する。また、増毛の１サイクルにおいて、図３（ｄ）に示す状態となるまで、全ての増毛用毛髪１３は外筒１６と内側棒１２との間に収納されて、自毛２０の周囲にだらしなく垂れ下がるということがなく増毛作業が極めてやり易くなる利点を有している。比較的細かい作業となる増毛作業の環境をこのように整えることは、作業者の負担を著しく軽減することになる。また、従来技術のようにビーズを使用しないから、ビ−ズを回収する手間も省け、さらに床に散乱したりその上に載って転んだりする事故も未然に防げる効果を有する。
【００２９】
【発明の効果】
本発明は、自毛に増毛用毛髪を結びつけることにより増毛する増毛方法において、一端に可撓性を有するループ部を備えた内側棒に所定間隔に増毛用毛髪を巻回結び付ける工程と、少なくとも内側棒のループ部が外筒の一端から突出するように、該増毛用毛髪付き内側棒を外筒の中に入れる工程と、ループ部内に自毛を挿入した後、内側棒に巻回結び付けた一単位の増毛用毛髪を該ループ部を通過して抜き取る工程と、そして、自毛が結び目内を通るように遊嵌された増毛用毛髪の両端を互いに反対方向に引っ張ることにより、結び目を緊締して自毛に結び付ける工程とを含んで構成されているため、自毛を挿入するループ部の大きさが常に一定となり所望の自毛だけを容易にその中に入れて作業することができ、また、増毛作業中、増毛用毛髪は外筒と内側棒との間に収容されていることで、自毛との結着作業にあずかっていない増毛用毛髪が垂れ下がることがなくなる効果を有する。これにより、増毛用毛髪を所望の自毛に順次効率良く緊締して結び付けることができる利点を有している。
【図面の簡単な説明】
【図１】  本発明に係る増毛用具の一実施例の分解斜視図である。
【図２】  図１の増毛用具を組み立てた状態の斜視図である。
【図３】  （ａ）〜（ｇ）は、それぞれ、図１の増毛用具を用いて実施する本発明の増毛方法の各ステップにおける概略図である。
【図４】  （ａ）〜（ｉ）は、それぞれ、増毛用毛髪の内側棒への巻回結び付け方法の一例の各ステップにおける概略図である。
【図５】  従来の増毛用具の斜視図である。
【図６】  （ａ）〜（ｄ）は、それぞれ、図５の増毛用具を製造する各ステップにおける概略図である。
【図７】  （ａ）〜（ｅ）は、それぞれ、図５の増毛用具を用いて実施する従来の増毛方法の各ステップにおける概略図である。
【符号の説明】
１０  増毛用具
１２  内側棒、１２ａ  ループ部、１２ｂ  一端、１２ｃ  ル−プ部側
１３  増毛用毛髪、１３ａ，１３ｂ  端部、１３ｊ  結び目の輪
１４  モノフィラメント糸、１４ａ  ループ部、１４ｂ  両端部
１６  外筒
２０  自毛
２２  頭皮表面
【図１】
0003638372.tif 000002
【図２】
0003638372.tif 000003
【図３】
0003638372.tif 000004
【図４】
0003638372.tif 000005
【図５】
0003638372.tif 000006
【図６】
0003638372.tif 000007
【図７】
0003638372.tif 000008